(57)【要約】【課題】  障子の閉鎖位置の変動の影響を受けずに端子同志が確実に接触して給電可能な可分離型給電器を提供する。【解決手段】  サッシ枠に取付けられる与電部品（Ａ）と、障子框に取付けられる受電部品（Ｂ）の一方に水平軸及び垂直軸回りに回動可能に、かつ、定常位置に復帰するように付勢されたホルダ（２４）を設けて、そのホルダに端子（２５）を与電部品と受電部品の他方方向に突設し、与電部品と受電部品の他方には前記ホルダの端子と対向する方向に開口するロート状の端子受け孔（１３）を設けるとともに、その端子受け孔の底部に端子（１４）を設けた。【選択図】      図２
2005256421.tif 000002
【特許請求の範囲】
【請求項１】
固定部に取付けられる与電部品と、可動部に取付けられる受電部品とからなり、与電部品と受電部品の一方に直交する２軸回りに回動可能に、かつ、定常位置に復帰するように付勢されたホルダを設けて、そのホルダに端子を与電部品と受電部品の他方の方向に突設し、与電部品と受電部品の他方には前記ホルダの端子と対向する方向に開口するロート状の端子受け孔を設けるとともに、その端子受け孔の底部に端子を設けたことを特徴とする可分離型給電器。
【請求項２】
請求項１において、与電部品と受電部品とが近接した時に磁気的に吸着する吸着手段が設けられていることを特徴とする可分離型給電器。
【請求項３】
請求項１又は２において、与電部品と受電部品の一方に、端子に接続される導線に、与電部品と受電部品の端子同志が接触した時に導通させ、かつ、端子同志の接触が切れた時に切断するスイッチが設けられていることを特徴とする可分離型給電器。
【請求項４】
サッシ枠に取付けられる与電部品と、障子框に取付けられる受電部品とからなり、与電部品と受電部品の一方に水平軸及び垂直軸回りに回動可能に、かつ、定常位置に復帰するように付勢されたホルダを設けて、そのホルダに端子を与電部品と受電部品の他方の方向に突設し、与電部品と受電部品の他方には前記ホルダの端子と対向する方向に開口するロート状の端子受け孔を設けるとともに、その端子受け孔の底部に端子を設けたことを特徴とするサッシ用可分離型給電器。
【発明の詳細な説明】
【技術分野】
【０００１】
本発明は、固定部側からこれに対して接近離間する可動部側へ給電するための可分離型給電器に関する。また、その可分離型給電器を利用した、サッシの片引き戸又は引違い戸の発熱手段に給電するためのサッシ用可分離型給電器に関する。
【背景技術】
【０００２】
通電すると抵抗により発熱する金属薄膜などからなる発熱体を備えてなる発熱ガラスを窓ガラスに用いることにより、ガラスの結露を防止したり、窓付近の冷却下降気流（コールドドラフト）の発生を防止したり、あるいは、室内暖房をしたりすることが開示されている。例えば、特許文献１〜５参照。
【特許文献１】特開平１０−１０１３７６号公報
【特許文献２】特開平１０−１３９４９２号公報
【特許文献３】特開平１１−１７３０２８号公報
【特許文献４】特開２０００−１９１３４７号公報
【特許文献５】特開２００２−３２８６９号公報
【０００３】
この発熱ガラスに発熱させるには、当然、発熱体に給電する必要がある。発熱ガラスが嵌め殺しにより固定されている場合は、発熱体の電極と電源に接続された通電制御装置の電極とは導線により容易に接続することができ、何等問題がない。しかし、発熱ガラスが引き戸又は引き違い戸（以下、障子という。）に用いられている場合は、障子は開閉移動されるので、発熱体の電極と通電制御装置の電極との間に、障子開放時は回路を開き、引き戸閉鎖時は回路を閉じる分離可能な給電器（可分離型給電器）を用いている（特許文献６参照。）。
【特許文献６】特開２００２−３０９８６３号公報
【０００４】
この可分離型給電器は、通電制御装置に電気的に接続された端子を有してサッシの縦枠に取付けられる与電部品と、発熱ガラスの電極に電気的に接続された端子を有して障子の縦框に取付けられる受電部品とからなり、障子閉鎖時には与電部品と受電部品の端子同志とが接触して通電可能となるように構成されている。
【発明の開示】
【発明が解決しようとする課題】
【０００５】
しかしながら、障子は下部がサッシ下枠の下レールに戸車を介して摺動自在に嵌合され、上部はサッシ上枠の上レールに摺動自在に嵌合されるが、障子と上枠及び下枠との間には障子摺動の円滑性を確保するためのクリアランスが設けてあるので、障子の厚み方向（室内外方向）に数ｍｍ程度の範囲で揺動可能である。従って、障子を閉鎖する際の障子に対する力の加え方又は障子に加わる風圧の大小などにより、障子が閉鎖位置に到達した時の縦枠に対する位置が変わる場合があり、また、与電部品及び受電部品の取付位置に誤差が生じる場合もあるため、受電部品の端子が常に与電部品の端子と正しく接触するとは限らない。そのため、障子閉鎖状態で通電制御装置が給電動作をしても、発熱体に給電されないという問題がある。また、障子を閉めた時、受電部品の端子と与電部品の端子が一定の接触力で接触できるようにしないと部品が破損し易い。
【０００６】
本発明は、上記問題を解決するためになされたものである。すなわち、本発明の第一の課題は、固定側に取付けられる与電部品と、可動側に取付けられる受電部品とからなり、与電部品の端子と受電部品の端子とが接触したとき通電可能となるように構成されている可分離型給電器において、可動側の受電部品の接近時の位置が変動しても、あるいは、両部品の取付位置に誤差があってもこれに影響されずに端子同志が確実に接触して給電可能な構成を付加することにある。
本発明の第二の課題は、サッシ枠に取付けられる与電部品と、障子框に取付けられる受電部品とからなり、障子閉鎖時に与電部品の端子と受電部品の端子とが接触して通電可能となるように構成されている、サッシの障子の発熱ガラスに設けてある発熱体に給電するための可分離型給電器において、障子の閉鎖時位置が変動しても、あるいは、取付位置に誤差が生じてもこれに影響されずに、端子同志が確実に接触して給電可能な構成を付加することにある。
【課題を解決するための手段】
【０００７】
上記第一の課題を解決するため、請求項１の発明は、固定部に取付けられる与電部品と、可動部に取付けられる受電部品とからなり、与電部品と受電部品の一方に直交する２軸回りに回動可能に、かつ、定常位置に復帰するように付勢されたホルダを設けて、そのホルダに端子を与電部品と受電部品の他方の方向に突設し、与電部品と受電部品の他方には前記ホルダの端子と対向する方向に開口するロート状の端子受け孔を設けるとともに、その端子受け孔の底部に端子を設けたことを特徴としている。
上記構成により、与電部品と受電部品をそれぞれ固定側と、これ接離する可動側にホルダの端子の軸線が端子受け孔の軸線に対向する状態で取付けると、受電部品が与電部品に接近時にホルダの端子の軸線と端子受け孔の軸線とが合致している場合は、両端子が何等の障害もなく正常に接触する。受電部品の接近時の位置が与電部品に対して変位し、又は両部品の取付位置に誤差があっても、ホルダの端子の先端が端子受け孔の周辺に接触した時、ホルダが直交する２軸回りに回動するため、その端子の先端が端子受け孔の底部方向に案内されて、ホルダの端子は端子受け孔の底部の端子と確実に接触する。
【０００８】
上記第一の課題を解決するため、請求項２の発明は、サッシ枠に取付けられる与電部品と、障子框に取付けられる受電部品の一方に水平軸回り及び垂直軸回りに回動可能に、かつ、定常位置に復帰するように付勢されたホルダを設けて、そのホルダに端子を与電部品と受電部品の他方の方向に突設し、与電部品と受電部品の他方には前記ホルダの端子と対向する方向に開口するロート状の端子受け孔を設けるとともに、その端子受け孔の底部に端子を設けたことを特徴としている。
上記構成により、与電部品と受電部品をそれぞれサッシ枠と障子框にホルダの端子の軸線が端子受け孔の軸線に対向する状態で取付けると、障子閉鎖時にホルダの端子の軸線と端子受け孔の軸線とが合致している場合は、両端子が何等の障害もなく正常に接触する。障子の閉鎖位置が室内外方向に変位認め、又は部品の取付位置の誤差が生じても、ホルダの端子の先端が端子受け孔の周辺に接触した時、ホルダが水平軸又は垂直軸回りに回動するため、その端子の先端が端子受け孔の底部方向に案内されて、ホルダの端子は端子受け孔の底部の端子と確実に接触する。
【０００９】
請求項３の発明は、請求項２の発明に係る可分離型給電器において、与電部品と受電部品とが近接した時に磁気的に吸着する吸着手段が設けられていることを特徴としている。  この吸着手段を設けた場合は、障子を閉鎖した時に吸着手段が与電部品と受電部品を磁気的に吸着するため、例えば、障子施錠装置の障子框とサッシ枠との引付け力が低下した場合でも、端子同志の接触状態が保持される。
【００１０】
請求項４の発明は、請求項２又は３の発明に係る可分離型給電器において、与電部品と受電部品の一方に、端子に接続される導線に、与電部品と受電部品の端子同志が接触した時に導通させ、かつ、端子同志の接触が切れた時に切断するスイッチが設けられていることを特徴としている。
上記構成により、障子閉鎖時に両端子が接触した時にスイッチが導通して給電が開始される。従って、端子同志の接触時にスパークが発生することが防止される。
【発明の効果】
【００１１】
請求項１の発明によれば、受電部品の与電部品に対する接近位置が変位しても、あるいは両部品の取付位置に誤差があっても、受電部品の与電部品に接近した時にホルダの端子の先端が端子受け孔の周辺に接触してホルダが２軸回りに回動するため、すなわち、首振り運動又は小練り運動をしてホルダの端子の先端が端子受け孔の底部方向に案内されるので、ホルダの端子は端子受け孔の底部の端子と確実に接触する。従って、受電部品の接近位置の変位や部品取付位置の誤差の影響を受けずに確実な給電が可能である。
【００１２】
請求項２の発明によれば、障子の閉鎖位置が室内外方向に変動しても、あるいは部品の取付位置に誤差が生じても、障子閉鎖時にホルダの端子の先端が端子受け孔の周辺に接触した時にホルダが水平軸又は垂直軸回りに回動するため、その端子の先端が端子受け孔の底部方向に案内されるので、ホルダの端子は端子受け孔の底部の端子と確実に接触する。従って、障子の建付状態や外力による閉鎖位置の変動や部品取付位置の誤差の影響を受けずに確実な給電が可能である。
【００１３】
請求項３の発明によれば、与電部品と受電部品とが近接した時に磁気的に吸着する吸着手段が設けられているので、例えば、障子施錠装置の障子框とサッシ枠との引付け力が低下した場合でも、端子同志の接触状態が保持される。従って、給電の信頼性か向上する。  
【００１４】
請求項４の発明によれば、与電部品と受電部品の一方に、端子に接続される導線に与電部品と受電部品の端子同志が接触した時に導通させ、かつ、端子同志の接触が切れた時に切断するスイッチが設けられているので、障子閉鎖時に両端子が接触した後にスイッチが導通して給電が開始されるため、端子同志の接触時にスパークが発生することが防止される。
【発明を実施するための最良の形態】
【００１５】
続いて、本発明の実施の形態について、図面を参照しながら説明する。
図１は本発明に係る可分離型給電器のサッシに対する取付け状態の一例を示す水平断面図、図２は配電盤から同給電器を経て発熱ガラスの発熱体の電極に至るまでの配線状態の一例を示す配線図である。
図３は与電部品の正面図、図４は同じく正面中央縦断面図、図５は受電部品の側面図、図６は同じく正面図、図７は同じく背面図、図８は図５のＸ−Ｘ線断面図、図９は図５のＹ−Ｙ線断面図である。
【００１６】
図１及び図２の１は、本発明の一実施例である可分離型給電器であり、サッシ枠Ｆの縦枠２に取付けられる与電部品Ａと、障子Ｄの閉鎖時に縦枠２に密着される縦框３に取付けられる受電部品Ｂとからなっている。図示されていない電源に接続されている配電盤４に一端が接続され、壁内を配線されている導線５が縦枠２内に挿通され、その導線の他端が与電部品Ａの後述される端子（図４の符号１４）に接続されている。また、受電部品Ｂの後述される端子（図５の符号２５）には障子縦框内に挿通された導線（図２の符号９）の一端が接続され、他端は障子の発熱ガラス６に担持されている発熱体７の電極に接続されている。８は導線５の途中に、室内から操作できるように設けられたコントローラである。発熱ガラス６は、一例として上記特許文献により知られているものであり、ガラスの表面に通電すると抵抗により発熱する金属薄膜などの発熱体を塗着した既知のものである。
【００１７】
与電部品Ａは、絶縁性合成樹脂で成形された部品本体１１を有する。この部品本体１１は、上下に部品本体を縦枠２に固定するためのビスを通す孔１２が設けてあり、その上下の孔の間の上下離間した位置において正面側に広く背面側に狭くなるロート状の端子受け孔１３が形成されている。そして、各端子受け孔１３の底部に端子１４が設けられている。この端子には、前記導線５の端部が接続されている。部品本体１１の上下の端子１４の間には永久磁石１５が埋設され、その両磁極に密着された磁性板１６の端部が上下の端子受け孔１３の間において部品本体１１の正面に突出されている。
【００１８】
部品本体１１には、さらに、例えば、メーク接点を有する近接スイッチ１７が設けられ、その近接スイッチの両端子には、一端がコントローラ８に接続された導線１８の他端が接続されている。コントローラ８は、この近接スイッチが閉じられたことを導線５を介して与電部品Ａに電源を供給する条件の一つとするものである。
【００１９】
与電部品Ａは、閉鎖された障子の縦框３が縦枠２に当接する位置から僅かに室内側に寄った位置に形成された取付け孔（不図示）に嵌合され、端子受け孔１３を障子Ｄの開閉移動方向と平行な方向に向けた状態で、孔１２からねじ込まれるビスで固定される。
【００２０】
他方、受電部品Ｂは、与電部品Ａと同様の樹脂材料で成形された部品本体２１を有する。この部品本体２１も上下に部品本体を障子の縦框３に固定するためのビスを通す孔２２が設けてあり、その上下の孔の間に正面側に開口された収容部（ハウジング）２３を有している。そして、その収容部の中に、端子ホルダ２４が後述するように、水平軸と垂直軸回りに回動自在（すなわち、小練り運動可能）に、かつ、定位置に復帰するように保持されている。
【００２１】
端子ホルダ２４は、上下に与電部品Ａの端子受け孔１３の間隔と等しい間隔を持って正面側（縦枠側）に突出する端子２５を有している。また、端子ホルダ２４の正面には、与電部品Ａの近接スイッチ１７に対応するアクチュエータ２６が設けられている。アクチュエータ２６は近接スイッチ１７の種類によりその形態が異なる。図示の例は、近接スイッチ１７のメーク接点を押圧して閉じるように突起で形成されている例に過ぎない。近接スイッチ１７がマグネットスイッチである場合は、アクチュエータ２６はマグネットで構成され、突出される必要はない。
【００２２】
端子ホルダ２４を、水平軸と垂直軸回りに回動自在に、かつ、定位置に復帰するように保持するための具体的構造は、既知の各種の技術を用いることができるが、その一例を説明すると、端子ホルダ２４は収容部２３の中まで挿入されていて、その挿入部分には各端子２５と反対方向に突出するピン２７が設けられ、各ピンに一端が収容部２３の背面壁に当接されたコイルバネ２８が巻回係止されて、端子ホルダ２４が正面方向に付勢されている。また、端子ホルダ２４の中間部にコイルバネ２８による付勢方向に長い長孔２９が設けられ、その長孔に部品本体２１の底部に固着された軸２１０が遊挿され、その軸にもう一つのコイルバネ２１１が巻回されて、端子ホルダ２４はそのコイルバネにより収容部の側面側に付勢されている。軸２１０は端子ホルダ２４のコイルバネ２８による付勢力により収容部２３から抜脱されるのを防止する作用をもしている。
【００２３】
端子ホルダ２４の端子２５の間には、磁石に吸着される磁性板２１２が正面側に向けて取付けられている。与電部品Ａの磁石、磁性板１６及び磁性金属板２１２とで磁気的吸着手段が構成されている。
【００２４】
上記構成により、受電部品Ｂを障子Ｄの縦框３の与電部品Ａと同じ高さにおける室内側面に部品本体２１を当接してビスで固定した場合は、端子２５はその軸線が与電部品Ａの端子受け孔１３の軸線と共通の水平線上で合致するように取付けられる。そして、端子２５の先端に前記水平線に対して斜め方向の力が加えられると、端子ホルダ２４がその力の加えられる方向に傾動し、その力が除かれると、コイルバネ２８及び／又はコイルバネ２１１により力が加えられる前の状態に復帰するようになっている。
【００２５】
受電部品Ｂの各端子２５の端子ホルダ２４内側の端部には導線９が接続され、その導線は部品本体２１の背面側に形成してある孔２１３を経て障子の縦框３内に貫通され、縦框のガラス嵌合溝３ａに嵌合されている発熱ガラス６の発熱体の電極に接続されている。
【００２６】
上述の与電部品Ａと受電部品Ｂが図１に示すように適切な位置に取付けられた状態で開放位置にある障子Ｄを閉める時、与電部品Ａと受電部品Ｂの取付位置が正確であり、かつ、障子の閉鎖位置が正常である場合は、受電部品Ｂの端子２５の先端が端子受け孔１３の周辺に接触することなく与電部品Ａの端子１４に接触する。また、与電部品Ａと受電部品Ｂの取付位置に誤差があり、又は障子の閉鎖位置が正常位置から数ｍｍ程度の通常生じやすい範囲でずれている場合は、受電部品Ｂの端子２５の先端が端子受け孔１３の周辺に接触するが、これに案内されて与電部品Ａの端子１４に接触することができる。そして、いずれの場合も、与電部品Ａの端子１４と受電部品Ｂの端子２５とが接触する状態まで接近した時は、近接スイッチ１７がアクチュエータ２６によりＯＮされる。従って、コントローラ８が発熱体７に通電させるように設定されている場合は、この近接スイッチ１７がＯＮとなる条件が満たされたので、通電が開始される。従って、端子１４，２５の接触後に通電されるから、端子接触時のスパーク発生が防止される。また、端子ホルダ２４は端子の接触方向に摺動でき、コイルバネにより復帰方向に付勢されているので、接触部に無理な力を与えなずに接触できる。、
【００２７】
また、与電部品Ａの端子１４と受電部品Ｂの端子２５とが接触する状態まで接近した時は、磁気的吸着手段が動作するので、端子ホルダ２４の磁性板２１２も与電部品Ａの磁性板１６に接近して、吸着されるため、障子Ｄに風圧その他の外力が加わって振動しても、また、サッシの錠装置による障子の縦枠に対する引付け力が弱いために与電部品Ａと受電部品Ｂが僅かに離間することがあっても、端子ホルダ２４は磁気吸着手段により与電部品Ａ側に吸着されているので、端子１４，２５の電気的接続状態は保持される。
【００２８】
以上には、端子ホルダが受電部品Ｂに設けられた場合について説明したが、端子を受電部品Ｂ側に向けた端子ホルダを与電部品Ａ側に小練り運動自在に設け、受電部品Ｂに端子受け孔を形成して、その孔の底部に端子を設けても上述した場合と同様の作用効果を得ることができる。
【産業上の利用可能性】
【００２９】
上には、サッシの障子に設けられた発熱ガラスの発熱体に給電する場合に用いて好適な実施例について説明したが、本発明の用途はこれに限らず、与電部品を固定側に、受電部品を可動側に取付けて固定側から可動側に給電する場合に広く使用することができる。
【図面の簡単な説明】
【００３０】
【図１】本発明に係る可分離型給電器のサッシに対する取付け状態の一例を示す水平断面図。
【図２】配電盤から同給電器を経て発熱ガラスの発熱体の電極に至るまでの配線状態の一例を示す配線図。
【図３】与電部品の正面図。
【図４】同じく正面中央縦断面図。
【図５】受電部品の側面図。
【図６】同じく正面図。
【図７】同じく背面図。
【図８】図５のＸ−Ｘ線断面図。
【図９】図５のＹ−Ｙ線断面図。
【符号の説明】
【００３１】
Ｆ        サッシ枠
２        縦枠
Ｄ        障子
３        縦框
１        可分離型給電器
Ａ        与電部品
１３      端子受け孔
１４      端子
１５，１６    吸着手段
１７      近接スイッチ
Ｂ        受電部品
２４      端子ホルダ
２５      端子
２６      アクチュエータ
２７    
【図１】
2005256421.tif 000003
【図２】
2005256421.tif 000004
【図３】
2005256421.tif 000005
【図４】
2005256421.tif 000006
【図５】
2005256421.tif 000007
【図６】
2005256421.tif 000008
【図７】
2005256421.tif 000009
【図８】
2005256421.tif 000010
【図９】
2005256421.tif 000011